Podtech/llm-jp-corpus-v4-ja_patent huggingface dataset:
(57)【要約】      （修正有）【課題】踵の箇所をガードすることによりそこを固定・保護するだけでなく、それによって膝や腰回りなどの不自然な体勢、動きなどを改善サポートすることにより、様々な痛み疾患などのトラブルや作業、スポーツ等に対処できる足首サポーターを提供する。【解決手段】足首箇所に装着した時に足裏後部と足甲後部と踵後上部を帯状に覆うように形成される三次元的形状であって、薄帯状弾力伸縮性の足首回りを取り巻くに足る長さの長帯部Ａと、これに連結して足裏後部を支えるに足る長さの薄帯状弾力伸縮性の短帯部Ｂとの、２要素から成るバンド体１で構成され、長帯部の両端部を接合してリング体とするとともに、短帯部の両端部１ａをリング体の直径相当位置に接合して略Ｕ字状に垂れ下がるように形成する。また長帯部においてリング状に固定連結する両端部からさらに尾部１ｂを延長形成し、その先端部に面状ファスナー２を設けておき、装着時にこれを長帯部の表面にも設けた対応する面状ファスナーに面合わせできるようにする。【選択図】図１
0003213219.tif 000002
【実用新案登録請求の範囲】
【請求項１】
装着時に足裏後部と足甲後部と踵後上部を帯状に覆うように形成される三次元的形状であって、薄帯状弾力伸縮性の足首回りを取り巻くに足る長さの長帯部と、これに連結して足裏後部を支えるに足る長さの薄帯状弾力伸縮性の短帯部との、２要素から成るバンド体で構成され、該長帯部の両端部を接合してリング体とするとともに、該短帯部の両端部を該リング体の直径相当位置に接合して略Ｕ字状に垂れ下がるように形成して成ることを特徴とする足首サポーター。
【請求項２】
長帯部の片端をさらに延長してその尾部の先端に面状ファスナーを設け、これに対応する面状ファスナーを該長帯部の表側に設けた請求項１記載の足首サポーター。
【考案の詳細な説明】
【技術分野】
【０００１】この考案は、日常生活における姿勢や歩行を改善したりスポーツパフォーマンスを向上させるための足首サポーターに関する。
【背景技術】
【０００２】人間は全体重を両足で支えて直立歩行をする一方、仕事やスポーツ、或いは日常の生活習慣などから不自然な姿勢や無理な体勢で過ごしがちで、その結果、多くの人が腰から足にかけての様々なトラブルに悩まされているのが現状である。【０００３】その対策として、身体に装着するものとしては、腰回り、膝回りやふくらはぎ、或いはそこから踵にかけてを伸縮性の布地などで取り巻くタイプのものが数多く出回っている。
【考案の開示】
【考案が解決しようとする課題】
【０００４】このような在来のサポーター類の多くは、動きのある身体をサポートするため、広い面積の伸縮性シートで痛みのある箇所の回りを広く取り巻く形態のものとなっている。従ってそのためのコスト負担が嵩むだけでなく、着脱に手間取ったり長時間の着用に違和感があるなどの問題点があった。【０００５】本考案はかかる問題点を解決するために、直立歩行する人体構造の要になっている踵の部分に注目して、その箇所をガードすることによりそこを固定・保護するだけでなく、それによって膝や腰回りなどの不自然な体勢、動きなどを改善することにより、様々な痛みトラブルやスポーツ等に対処することを課題とする。
【課題を解決するための手段】
【０００６】図１に示したように、足首箇所に装着した時に足裏後部と足甲後部と踵後上部を帯状に覆うように形成される三次元的形状であって、薄帯状弾力伸縮性の足首回りを取り巻くに足る長さの長帯部Ａと、これに連結して足裏後部を支えるに足る長さの薄帯状弾力伸縮性の短帯部Ｂとの、２要素から成るバンド体１で構成され、長帯部Ａの両端部１ａを接合してリング体とするとともに、短帯部Ｂの両端部１ａを該リング体の直径相当位置に接合して略Ｕ字状に垂れ下がるように形成して本考案の足首サポーターとする。【０００７】その弾力伸縮性の薄帯体から成るバンド体１は、長帯部Ａが直帯状であっても、両端部１ａを固定連結してリング状に巻いたときに非円錐の輪切り円筒状となるものの、薄くて伸縮性があるため、実際には足甲後部や踵後上部に装着してほとんど違和感がないことが判明した。但し材質としては軟質ゴム或いはストッキング生地のようなものが好ましい。また直帯状でなく二次元的に緩やかに湾曲させ略Ｃ字状にすることは任意である。【０００８】また使用者の足形などに合わせたり快適な装着状態にする微調整のために、長帯部Ａにおいてリング状に固定連結する両端部１ａからさらに尾部１ｂを延長形成し、その先端部に面状ファスナー２を設けておき、装着時にこれを長帯部Ａの表面にも設けた対応する面状ファスナー２に面合わせできるようにする。これにより使用者は、該尾部１ｂを引っ張って適正位置で対応する面状ファスナー２を貼り合わせ、安定的に装着することができる。
【考案の効果】
【０００９】本考案によれば迅速かつ安定的に足首部に装着でき、足の踵部という動きの少ない小さな部位に装着するのみで、着用に伴う大きな負担や違和感なく身体全体の歪み等を適正化させるのに役立ち、またそれにより疲労や悪化した生活習慣の弊害改善にも貢献できる効果がある。【００１０】またこのような弾力伸縮性の薄帯体を用いて短帯部Ｂを長帯部Ａに固定連結した場合は、装着時に足首横の踝に厚いバンド体や面状ファスナー等が重ならないから、該当箇所が靴横に重ならず邪魔にならないメリットもある。
【考案を実施するための形態】
【００１１】図２で例示したような長短二本の弾力伸縮性薄帯体において、長帯部Ａは厚さ１ｍｍ、幅３５ｍｍ、全長３４０ｍｍとし、短帯部Ｂは厚さ１ｍｍ、幅２５ｍｍ、全長１４５ｍｍとする。長帯部Ａの片端とそれより全長の約３／５の部位をリング状に固定連結するための部位を両端部１ａとしてステッチ箇所とし、それより約１／３手前に長めの面状ファスナー２を取り付ける。長帯部Ａの残り約２／５はリングの外に伸びる尾部１ｂとなり、その先にも対応する面状ファスナー２を取り付ける。短帯部Ｂの両端部１ａは上記長帯部Ａをリング状にする両端部１ａと同じくステッチ箇所とするとともに、長帯部Ａには短帯部Ｂを連結固定するための別個のステッチ箇所（便宜上、これも両端部１ａと称する）を、面状ファスナー２の両横の適宜位置に縁に沿って２箇所設ける。
【産業上の利用可能性】
【００１２】本考案は使用感が良くてニーズも多く、量産可能であるので産業上の利用可能は十分にある。
【図面の簡単な説明】
【００１３】
【図１】装着時における本考案一例の見取図
【図２】本考案素材セットの平面図
【符号の説明】
【００１４】１……バンド体
２……面状ファスナー
１ａ……両端部
１ｂ……尾部
Ａ……長帯部
Ｂ……短帯部
【図１】
0003213219.tif 000003
【図２】
0003213219.tif 000004
(57)【要約】      （修正有）【課題】キャップにノズルパイプが付いた容器を提供する。【解決手段】キャップ上面に入口穴２を開け、裏面に設置角度４５°のコーン３とノズルパイプ４を設けて一体化したキャップ１から構成されている。なおノズルパイプ先端に目くら板５を取り付け、パイプ下部円周部には、２〜４個の出口穴６が開いている。溶液を入れる容器７には最適溶液量目安線８が付いている。【選択図】図１
0003213279.tif 000002
【実用新案登録請求の範囲】
【請求項１】
キャップ中央に穴があり内部にノズルパイプが設けられた害虫駆除用キャップにノズルパイプが付いた容器。
【考案の詳細な説明】
【技術分野】
【０００１】  本考案はキャップ中央に穴があり、内側にノズルパイプが設けられた、害虫駆除用ノズルパイプが付いた容器。
【背景技術】
【０００２】  害虫駆除用容器は、一般には、医薬品会社で製造された製品を購入している。【０００３】
【非特許文献１】めんつゆでコバエ退治の検索。コバエを撃退、害虫のプロが教えるめんつゆトラップ
【考案の概要】
【本考案が解決しょうとする課題】
【０００４】  非特許文献１めんつゆでコバエ退治は、ペットボトルの側面をカットして底側の部分を容器とする。上部はキャップを外し逆さまにして容器の中に取り込み低側にめんつゆの溶液を入れたものである。
【０００５】  ペットボトルの飲み口部にストローなど入れやすく、間違えて子供が誤ちを起こす危険性がある。
【０００６】  ペットボトルをカットして使用するため、デザインが決まってしまう。
【０００７】  めんつゆトラップ方式では、倒れたら溶液がこぼれる心配があるため置き場所が決まってしまう。
本考案は、以上のような欠点を解決したものである。
【課題を解決するための手段】
【０００８】  図２のように、キャップ上面に入口穴（２）を開け、裏面に４５°の設置角度もつコーン（３）とノズルパイプ（４）を設け一体化したキャップ（１）から構成されている。なおノズルパイプ先端に目くら板（５）を取り付け、パイプ下部円周部には、２〜４個の出口穴（６）が開いている。
【０００９】  図３のように、溶液を入れる容器（７）には、最適溶液量目安線（８）が付いている。本考案は、以上の構成による、キャップにノズルパイプが付いた容器。
【考案の効果】
【００１０】  ノズルパイプ付きキャップであるため、容器との取り外しが容易で洗浄ができるため清潔である。
【００１１】  容器の口が大きいため溶液が入れやすい、結果使い捨てにならない。
【００１２】  ノズルパイプ先端には、目くら板がありストローなどが入らないため安心安全である。
【００１３】  容器はいろんなデザインができるため何処にも置くことができる。
【００１４】  最適溶液量目安線があるため、倒れても転がってもこぼれないように設計されている。
【図面の簡単な説明】
【００１５】
【図１】  本考案断面図
【図２】  ノズルパイプ付きキャップ断面図
【図３】  容器断面図
【本考案を実施するための形態】
【００１６】  本考案の実施形態を図１、図２、図３，で示す。
キャップ（１）上面に入口穴（２）を開け裏面に４５°の設置角度を持つコーン（３）とノズルパイプ（４）とノズルパイプ先端には目くら板（５）を取り付けパイプ下部円周部には２〜４個の出口穴（６）を設け一体化したものを、最適溶液量の入った容器（７）に取り付ける。この考案は、容器の外径と高さノズルパイプの外径と長さで最適溶液量が決まり。容器の外周部に最適溶液量目安線（８）がある事によって使用する。以上のような設計で倒れても転がっても溶液がこぼれない安心安全な害虫駆除容器。
【符号の説明】
【００１７】    １  キャップ
２  入口穴
３  ノズルパイプコーン
４  ノズルパイプ
５  目くら板
６  出口穴
７  溶液を入れる容器
８  最適溶液量目安線
【図１】
0003213279.tif 000003
【図２】
0003213279.tif 000004
【図３】
0003213279.tif 000005
【手続補正書】
【提出日】平成29年8月10日(2017.8.10)
【手続補正１】
【補正対象書類名】実用新案登録請求の範囲
【補正対象項目名】全文
【補正方法】変更
【補正の内容】
【実用新案登録請求の範囲】
【請求項１】
上面に入口穴を開け、裏面にノズルパイプを設け一体化したキャップを取り付けた害虫駆除用キャップにノズルパイプが付いた容器。
(57)【要約】      （修正有）【課題】操作性に優れ、安全を確保することができる自動車ハンドルを提供する。【解決手段】自動車ハンドルにおいて、ハンドル１の舵の方向を示すマーカーを有し、前記のマーカーは、ハンドルの円周部分の上部頂点に、楕円型または丸型の色付マーカー２、または、電気照光式マーカーを有し、また、ハンドル中央部に、楕円型または丸型マーカー３、または、直線マーカー、または、電気照光式マーカーを左右に配置する。【選択図】図１
0003213276.tif 000002
【実用新案登録請求の範囲】
【請求項１】
自動車ハンドルにおいて．ハンドルの舵の方向を示すマーカーを有し．前記のマーカーは．ハンドルの円周部分の上部頂点に．楕円型及び丸型の色付マーカーまたは．電気照光式マーカーを有し．また．ハンドル中央部に．楕円型及び丸型マーカー．直線マーカー．または．電気照光式マーカーを左右に配置することを特徴とする安全を確保する．自動車ハンドル。
【考案の詳細な説明】
【技術分野】
【０００１】本考案は．マーカーを付けた自動車ハンドルに関するものである。
【背景技術】
【０００２】  従来の自動車ハンドルは．明確な直進位置を示すもの．方向性を示すマーカー等を示すものはない。
【考案の概要】
【考案が解決しようとする課題】
【０００３】  従来の自動車ハンドルは．マーカーがないことにより．前後左右の方向性を明確に示す表示がなく．どの方向なのかなどが分からない問題がある。
【問題を解決するための手段】
【０００４】  本考案は．上述の問題に対処し．改善を図るべく．ハンドルに．マーカーを取り付け．その位置を明確にした。自動車ハンドルにおいて．ハンドルの舵の方向を示すマーカーを有し．前記のマーカーは．ハンドルの円周部分の上部頂点に．楕円型又は丸型の色付マーカー．または．電気照光式マーカーを有し．また．ハンドル中央部に．楕円型又は丸型又は直線の色付マーカー．または．電気照光マーカーを左右に配置することを特徴とする自動車ハンドルである．コーナー進入時に．ハンドル回転角度の注意を喚起し切りすぎを防止し．安全を確保することができる。
【考案の効果】
【０００５】  本考案は．ハンドルにマーカーを入れることで。操作性に優れ．安全を確保することができる。
【図面の簡単な説明】
【０００６】
【図１】本考案のマーカーをハンドルに入れた正面図．直進状態の図。
【図２】本考案のマーカーをハンドルに入れた正面図．右にハンドルを切ったときの図。
【図３】本考案のマーカーをハンドルに入れた正面図．左にハンドルを切ったときの図。
【考案を実施するための形態】
【０００７】  図１に示す様に．マーカーは．ハンドルの円周部分の上部頂点に．楕円型又は丸型の色付マーカー．または．電気照光式マーカーを有する．また．ハンドル中央部に．楕円型又は丸型又は直線の色付マーカー．または．電気照光式マーカーを配置している直進の状態の図である。
図２は．右折時のものであり．ハンドルの回転に伴い．中央右の位置にある状態である。
図３は．左折時のものであり．ハンドルの回転に伴い．中央左の位置にある状態である。
ハンドルにマーカーを入れることで．操作性に優れ．安全を確保することができる．例えば．コーナー進入時に．ハンドル回転角度の注意を喚起し．切りすぎを防止し．安全を確保することができる。
【符号の説明】
【０００８】  １  ハンドル本体
２  ハンドル円周部分の上部頂点部のマーカー
３  ハンドル中央部のマーカー
【図１】
0003213276.tif 000003
【図２】
0003213276.tif 000004
【図３】
0003213276.tif 000005
【手続補正書】
【提出日】平成29年8月14日(2017.8.14)
【手続補正１】
【補正対象書類名】実用新案登録請求の範囲
【補正対象項目名】全文
【補正方法】変更
【補正の内容】
【実用新案登録請求の範囲】
【請求項１】
自動車ハンドルにおいて、ハンドルの舵の方向を示すマーカーを有し、前記のマーカーは、ハンドルの円周部分の上部頂点に、楕円型または丸型の色付マーカー、または、電気照光式マーカーを有し、また、ハンドル中央部に、楕円型または丸型マーカー、または、直線マーカー、または、電気照光式マーカーを左右に配置することを特徴とする、安全を確保する自動車ハンドル。
(57)【要約】      （修正有）【課題】工事信号機による片側交互通行の現場内に脇道がある場合、本線に合流しやすいように、左右どちら側から車両が来るか認識しやすくする脇道用工事信号機を提供する。【解決手段】コンクリート土台４に支柱１を固定し、これに丸赤色灯２と矢印赤色灯３を接続し、矢印赤色灯３にて誘導することで左右どちら側から車両が来るか認識しやすくする。【選択図】図１
0003213280.tif 000002
【実用新案登録請求の範囲】
【請求項１】
工事現場用仮設信号機の赤色灯青色灯にあたる箇所を矢印赤色灯（３）にて誘導する脇道用工事信号機。
【考案の詳細な説明】
【技術分野】
【０００１】本考案は、工事信号機による片側交互通行の現場内に脇道がある場合、本線に合流しやすいように、左右どちら側から車両が来るか認識しやすくする信号機に関するものである。
【背景技術】
【０００２】従来、脇道にも工事信号機を設置していたため、待ち時間が多くなっていた。
【先行技術文献】
【特許文献】
【０００３】
【特許文献１】特開２００９−２５２１０１号広報
【考案の概要】
【考案が解決しようとする課題】
【０００４】これには次のような欠点があった。
従来の工事信号機では、片側交互通行を行っている際に、工事規制範囲内に交通量が少ない脇道や駐車場が存在する場合、その場所に工事信号機を設置すると信号待ち時間が多くなってしまうという欠点があった。
本考案は、以上のような従来の欠点に鑑み、脇道用工事信号機を使用し、交通量の少ない脇道や駐車場からの本線合流を補助する事を目的としている。
【課題を解決するための手段】
【０００５】工事信号機を踏切に設置してある遮断機に似せた形状とし、丸と矢印の赤色灯を設ける。
本考案は、以上の構成よりなる本線合流補助信号機である。
【考案の効果】
【０００６】（イ）本線を工事用信号機での通行としないため、待ち時間が短縮される。
（ロ）遮断機に似た形状にすることにより、慎重な合流を促す。
（ハ）本線通行車両に脇道が存在することを明示できる。
（ニ）複数の脇道にも対応できる。
【図面の簡単な説明】
【０００７】
【図１】  本考案の側面図である。
【図２】  本考案の使用状態を示した配置図である。
【考案を実施するための形態】
【０００８】以下、本考案の実施の形態を図に基づいて説明する。
重りとなるコンクリート土台（４）に支柱（１）を固定し、これに丸赤色灯（２）と矢印赤色灯（３）を接続する。
本考案は、以上のような構造である。
本考案を使用するときは、交通量の少ない脇道や出入口から見やすい場所に設置し、工事規制区間注意喚起として丸赤色灯（２）を点滅、走行方向を矢印赤色灯（３）が点灯して知らせる。
本線を赤色と青色の工事用信号機で合流しないため、待ち時間が短縮される。
遮断機に似た形状にすることにより、慎重な合流を促す。
本線通行車両に脇道が存在することを明示できる。
複数の脇道にも対応できる。
【符号の説明】
【０００９】１  支柱
２  丸赤色灯
３  矢印赤色灯
４  コンクリート土台
【図１】
0003213280.tif 000003
【図２】
0003213280.tif 000004
【手続補正書】
【提出日】平成29年8月15日(2017.8.15)
【手続補正１】
【補正対象書類名】実用新案登録請求の範囲
【補正対象項目名】全文
【補正方法】変更
【補正の内容】
【実用新案登録請求の範囲】
【請求項１】
コンクリート土台（４）に支柱（１）を固定し、これに丸赤色灯（２）と矢印赤色灯（３）を接続し、矢印赤色灯（３）にて誘導することで左右どちら側から車両が来るか認識しやすくする脇道用工事信号機。
(57)【要約】      （修正有）【課題】手触り、肌触りがよく、石鹸が小さくなっても掴みやすい固形石鹸用滑り止め具を提供する。【解決手段】固形石鹸用滑り止め具は、固形石鹸３の周囲に巻きつけられるゴム糸を糸で織ったり、編んだり、組んだりして製造された帯状の本体部１と、本体部の両端に設けられ両端同士を固定する固定部材（面ファスナー）とを備えている。【選択図】図３
0003213273.tif 000002
【実用新案登録請求の範囲】
【請求項１】
ゴム糸を糸で織ったり、編んだり、組んだりして製造された帯状の本体部と、前記本体部の両端に設けられ前記両端同士を固定する固定部材とを備えた固形石鹸用滑り止め具。
【考案の詳細な説明】
【技術分野】
【０００１】  本考案は、固形石鹸用滑り止め具に関する。
【背景技術】
【０００２】  固形石鹸は、水を使いながら、こすりあわせて使用されるが、石鹸を手に持って使用する際、滑り落ちやすい。それに対し、例えば、特許文献１（特開２００６−１３６７０号公報）、特許文献２（実開昭５４−８３９８０号公報）に示されるように、固形石鹸を化学繊維製のネット状の袋にいれて使用することが提案されている。
【先行技術文献】
【特許文献】
【０００３】
【特許文献１】特開２００６−１３６７０号公報
【特許文献２】実開昭５４−８３９８０号公報
【考案の概要】
【考案が解決しようとする課題】
【０００４】  上記のように、袋状のネット内に石鹸を収納した場合、ネットを伸縮性のあるネットに収納して使用したとしても、ネット内で、少しずつ減って小さくなった石鹸を年配者などがうまく掴むことが難しく、また、ネットも化学繊維製のため、肌さわりがあまり良くないという問題があった。
【課題を解決するための手段】
【０００５】  本考案は、上述の問題点を解決するためになされたもので、
本考案の固形石鹸用滑り止め具は、ゴム糸を糸で織ったり、編んだり、組んだりして製造された帯状の本体部と、本体部の両端に設けられ両端同士を固定する固定部材とを備えている。
【考案の効果】
【０００６】  本考案の固形石鹸用滑り止め具によれば、手触り、肌触りがよく、石鹸が小さくなっても掴みやすい。
【図面の簡単な説明】
【０００７】
【図１】本考案による固形石鹸用滑り止め具を示す図である。
【図２】図１の固形石鹸用滑り止め具を横から見た図である。
【図３】本考案による固形石鹸用滑り止め具を固形石鹸に取り付けた状態を示す図である。
【考案を実施するための形態】
【実施例】
【０００８】  本考案の固形石鹸用滑り止め具の一実施例について、図１〜図３を参照しながら説明する。
図１、図２において、１は、帯状の本体部、２は、本体部１の両端に設けられた面ファスナーなどを構成する固定部材である。帯状の本体部１は、１０ｍｍから２０ｍｍの幅で、ゴム糸を糸で織ったり、編んだり、組んだりして製造された平ゴムで構成されている。ゴム糸は、例えば天然ゴム、糸は、例えばレーヨン、ポリエステルで構成されている。レーヨンを主原料とする場合、手触り、肌さわりが良い。
この滑り止め具は、図３に示されるように、固形石鹸の周囲に巻きつけられ、両端部に設けられた固定部材２により、固定される。
【符号の説明】
【０００９】１    本体部
２    固定部材
３    固形石鹸
【図１】
0003213273.tif 000003
【図２】
0003213273.tif 000004
【図３】
0003213273.tif 000005
(57)【要約】      （修正有）【課題】雨の日に雨に濡れることなく、子どもをチャイルドシートに乗せることができる車を提供する。【解決手段】跳ね上げ式後部ドアがある車の最後尾の席の背もたれ１を逆方向に倒し、電車の席のような転換シートにして、そのシートの上にチャイルドシートを載せる。【選択図】図１
0003213278.tif 000002
【実用新案登録請求の範囲】
【請求項１】
跳ね上げ式後部ドアのある車の最後尾の席の一つを背もたれを逆方向に倒せるような、転換式シートにする。
【考案の詳細な説明】
【０００１】本考案は、跳ね上げ式の後部ドアがある車の、最後尾の席の背もたれを反対方向に倒し、席を転換するという車のシートに関するものである。
【背景技術】
【０００２】従来、背もたれを反対方向に倒すだけで、席が逆むきになるという転換シートは電車で広く採用されているものである。
【考案の概要】
【考案が解決しようとする課題】
【０００３】雨の日に、小さなこどもをチャイルドシートに乗せるとき、雨に濡れずに作業できる場を提供する。
【課題を解決するための手段】まず、跳ね上げ式後部ドアのある車の、最後尾の席の背もたれを反対方向に倒し、席を逆方向に向かせ、その上にチャイルドシートを載せる。
【考案の効果】
【０００５】雨の日、子どもをチャイルドシートに乗せたり、降ろしたりする場合に、後部跳ね上げ式ドアの下で作業することができ、濡れずに済む。足の痛い人が足を伸ばして乗車できる。保温器やテーブル等と組み合わせてレジャー等にも使用が考えられる。また、２列、３列シートがある場合２列めも転換シートにして、向かい合わせに座る方法も考えられる。
【図面の簡単な説明】
【０００６】
【図１】跳ね上げ式後部ドアのある車の最後尾の一つの席の背もたれを転換式にし、席の方向を逆向きにしたところ
【図２】逆向きの席にチャイルドシートを取りつけたところ
【考案を実施するための形態】
【０００７】跳ね上げ式後部ドアのある車の最後尾の座席の背もたれを反対方向に傾かせる転換シートにする。背もたれの裏側も、クッション性をもたせる
【実施例】
【０００８】以下添付図を使って、一実施例を説明する。１は跳ね上げ式後部ドアのある車の最後尾席の背もたれの向きが転換式になったものである。２は、背もたれを転換したシートにチャイルドシートを取り付けたものである。【０００９】２は最後尾の背もたれを転換したシートにチャイルイドシートを取り付けたものである。
【符号の説明】
【００１０】１最後尾の席の背もたれを逆方向に倒しシートが転換式になったもの
２転換をしていない進行方向を向いた従来からあるシート
３転換式シートにチャイルドシートを載せたもの
【図１】
0003213278.tif 000003
【図２】
0003213278.tif 000004
【手続補正書】
【提出日】平成29年7月31日(2017.7.31)
【手続補正１】
【補正対象書類名】実用新案登録請求の範囲
【補正対象項目名】全文
【補正方法】変更
【補正の内容】
【実用新案登録請求の範囲】
【請求項１】
跳ね上げ式後部ドアのある車の最後尾の席の背もたれを逆方向に倒せることを特徴とする最後尾の席が転換シートになる車
(57)【要約】      （修正有）【課題】運転中には、道を譲ったり、譲られたり、脇に寄って徐行したり、されたりスム−ズな運転のためにお互いに気を遣いあう場面が少なくなく、そのような時、お互いが相手に対し、気遣いの言葉を表示することのできる電光掲示板を提供する。【解決手段】車の外側に気遣いを表す言葉を表示する電光掲示板１を取り付ける。その電光掲示板１は接続線でつながっている車内に設けられたボタンを押すことで起動し、外に取り付けられた電光掲示板１に気遣いを表す言葉が表示される。【選択図】図１
0003213207.tif 000002
【実用新案登録請求の範囲】
【請求項１】
車外の前部と後部に気遣いの言葉を表示する電光掲示板を設置し前記心遣いの言葉を表示する電光掲示板は車内に設けられたボタンに接続線を介してつながっており前記ボタンを押すことで、起動し車外の電光掲示板に気遣いの言葉を表示することを特徴とする車に搭載する気遣いの言葉を表示する電光掲示板。
【考案の詳細な説明】
【技術分野】
【０００１】本考案は、車に取り付けるＬＥＤマトリクスを用いた電光掲示板に関するものである。
【背景技術】
【０００２】車に搭載された電光掲示板としては、バスの行き先、経路等に広く利用されている。
【考案の概要】
【考案が解決しようとする課題】
【０００３】車を運転していると、２台がかわせないような狭い道路で、２台の車が鉢合わせした場合、一方が退避所等に入り道を譲ったり、片側に寄ったり気をきかせて運転する場合が少なくない。そういう時譲る方が「どうぞ」、譲られた方が「ありがとう」の気持ちを相手に表す時、クラクションを鳴らしたり、手をあげたり工夫をしている、しかし車両に明確に気遣いの気持ちを表す装置は搭載されていないのが現状である。
【課題を解決するための手段】
【０００４】本考案は、車の全部と後部に「ありがとう」「どうぞ」等という気遣いの言葉を表す電光掲示板を搭載し、必要な時に電光掲示板に前記言葉を表示したり、知人の家を車で訪問し辞す時に「ありがとう」等の言葉を電光掲示板に表し、感謝の気持ちを伝える。電光掲示板は、車内にボタンをつけそれを押すと言葉が表示されるようにする。
【考案の効果】
【０００５】気遣いを伝え合う中で、運転中の人の心を和ませる。自動運転が増えてくる中、運転する楽しみを新に付け加えることにつながる。
【図面の簡単な説明】
【０００６】
【図１】車の外側につける電光掲示板
【図２】車内の操作ボタン付近の図
【考案を実施するための形態】
【０００８】車の外側の前部と後部に気遣いの言葉を表す電光掲示板をつけ、操作のための車の内側にボタンを設けボタンを押すことで、電光掲示板に気遣いの言葉が表示される。ボタンは多数の場合操作に気を取られるので当面は、「ありがとう」だけにし、増やしても「どうぞ」「ごめんなさい」の中から２語くらいにする。国際化の流れから「Ｔｈａｎｋｙｏｕ」や「Ｐｌｅａｓｅ」等英語の表示も考えられる。ボタンを押す操作も省略するために、
マイクを通した音声認識作動にしたり、携帯端末の音声認識アプリケ−ションを組み込む展開も考えられる。その他いろいろなマ−ク等の表示も考えられるが多数の場合操作する方も見る方も気が散るので安全第一としなければならない。
【実施例】
【０００９】以下添付図に従って、一実施例を説明する。１は車の外側の前部と後部に取り付けられた気遣いの言葉を表す電光掲示板であり、前記電光掲示板は接続線３を介してつながっている２の車内にあるボタンを押すことで起動し外に取り付けられた１の電光掲示板に言葉が表示される。表示された言葉は一定時間で消える。
【符号の説明】
【００１０】１  車外に取り付けられた気遣いの言葉を表示する電光掲示板
２  車内に設けられたボタン
３  接続線
【図１】
0003213207.tif 000003
【図２】
0003213207.tif 000004
(57)【要約】      （修正有）【課題】紐かけを省略した上で、両手を使うことなく片手で手荷物を運搬できる荷物運搬用の接着テープを提供する。【解決手段】接着テープに接着剤の塗布の無い部分１を作りそこを手のひらで握る場所とし、適切な間隔をもって接着剤の塗布の無い部分１と有る部分２を繰り返して構成する。手荷物の上部に接着剤の塗布の無い部分を位置させたのち、手荷物の大きさに合わせて、適宜接着テープをカットして目的を達成する。【選択図】図１
0003213296.tif 000002
【実用新案登録請求の範囲】
【請求項１】
接着剤の塗布の無い部分と接着剤の塗布の有る部分をそれぞれの適切な長さと間隔をもって繰り返して構成された手荷物運搬用の接着テープ。
【考案の詳細な説明】
【考案の概要】
【考案が解決しようとする課題】
【０００１】紐かけを省略した上で、両手を使うこと無く片手で手荷物を運搬することを目的とした。
【課題を解決するための手段】
【０００２】接着テープに接着剤の塗布の無い部分を作りそこを手のひらで握る場所とし、適切な間隔をもって接着剤の塗布の無い部分と有る部分を繰り返して構成する。例えば無い部分を２０センチ、有る部分を５０センチとして繰り返して構成するならばそれなりにふさわしい手荷物に対して有効であろう。
手荷物の上部に接着剤の塗布の無い部分を位置させたのち、手荷物の大きさに合わせて、適宜接着テープをカットして目的を達成したい。
【考案の効果】
【０００３】両手で抱き抱える必要が無くなり片手が解放、便利である。
【図面の簡単な説明】
【図１】  正面図
【図２】  使用例の斜視図
【符号の説明】１  接着剤の塗布の無いテープ部分
２  接着剤の塗布の有るテープ部分
３  手荷物
【図１】
0003213296.tif 000003
【図２】
0003213296.tif 000004
(57)【要約】      （修正有）【課題】曲面に沿うように貼ることが出来る紙又は樹脂のシールを提供する。【解決手段】紙又は樹脂の粘着シール１の一部に切れ込み２を入れ、曲面に沿うように変形できるようにする。【選択図】図１
0003213294.tif 000002
【実用新案登録請求の範囲】
【請求項１】
紙又は樹脂に切込みを入れて曲面に沿うように貼ることが出来るシール。
【考案の詳細な説明】
【技術分野】
【０００１】    本考案は、紙又は樹脂からなる粘着シールにスリットを設けた識別シールに関するものである。
【背景技術】
【０００２】    無地の対象物を識別するために対象物の頂点にシールを貼る。
【考案の概要】
【考案が解決しようとする課題】
【０００３】    対象物の頂点が曲面の場合、シールにシワが寄りきれいに貼れない事が多い。
【課題を解決するための手段】
【０００４】    シールの一部に切り込みを入れてその部分が重なるように貼る。
【考案の効果】
【０００５】    シールの一部分が重なることによりシール自体が曲面になるため対象物に沿ってシワが寄らずにきれいに貼れる。
【図面の簡単な説明】
【０００６】
【図１】本考案に係るシールの加工図である。
【図２】本考案に係るシールの使用例である。
【考案を実施するための形態】
【０００７】    図１に示すように、シールの両端にスリットを設ける。
【実施例】
【０００８】    図２に示すように、スリット部を重ねて対象物に貼る。
【符号の説明】
【０００９】    １  シール
２  スリット
３  シールに押印した印影
４  対象物
【図１】
0003213294.tif 000003
【図２】
0003213294.tif 000004
(57)【要約】【課題】  本考案は、観光客が当地を訪れた記念に購入する鉄道事業者の駅の入場券において、当該入場券を発売する駅が所在する地域の魅力の告知を図るものである。【解決手段】入場券のうち、片面の印刷内容について、当該入場券を発売する駅が所在する地域の魅力を示すデザインとする。【選択図】図３
0003213292.tif 000002
【実用新案登録請求の範囲】
【請求項１】
鉄道事業者の入場券において、一方の面には鉄道事業者の処理のために必要な事項が印刷され、もう一方の面には当該入場券を発売する駅が所在する地域の魅力等を示す図又はデザインが印刷された、入場券。
【考案の詳細な説明】
【技術分野】
【０００１】  本考案は、鉄道事業者が発行する駅構内への入場券の形状に関する。
【背景技術】
【０００２】  従来の鉄道事業者が発行する入場券の形状は、紙を用いて必要事項を印刷したものである。
【考案の概要】
【考案が解決しようとする課題】
【０００３】  入場券は単に駅構内への入場に際して発行するものであるが、当該駅を訪れた記念として購入する観光客も多数存在する。【０００４】  しかしながら、印刷されている事項は形式的であり、当地を訪れた記念となり、かつ次回の来訪につなげる等の観光的要素に欠ける部分があった。
【課題を解決するための手段】
【０００５】  本考案は、紙による入場券について両面印刷を施し、表面は鉄道事業者として必要な入場券に関する事項を従前どおり印刷する一方、裏面については、当該入場券を発売する駅が所在する地域の魅力を示す図又はデザインを印刷することで、当地を訪れた記念となり観光客の満足を得られる様式とすることで、上記課題を解決するものである。
【考案の効果】
【０００６】  本考案に係る入場券は、当該入場券を発売する駅が所在する地域の特徴を券面に表示することができ、購入した旅客が当地を訪れた記念とするだけでなく、当地の魅力や特色を半永久的に告知、宣伝することができ、実用性に優れたものである。
【図面の簡単な説明】
【０００７】
【図１】本考案に係る入場券の様式である。
【図２】本考案に係る入場券の表面に印刷された図案の一例である。
【図３】本考案に係る入場券の裏面に印刷された図案の一例である。
【考案を実施するための形態】
【０００８】  図１に示す様式の入場券に対し、表面は図２のとおり、裏面については図３のとおりカラー印刷を施す。
【０００９】  図２のとおり、表面の印刷事項については従前の入場券と大きく変わらないものである。
【００１０】  図３のとおり、裏面には、例えば、当地の特産品や観光名所などを紹介するデザインを印刷し、これにより購入した旅客はいつでもこの入場券を見ることで、当地の魅力について再確認および再認識することができる。このデザインは、鉄道事業者が作成してもよいし、当該地域の自治体にその作成を委ねてもよい。
【図１】
0003213292.tif 000003
【図２】
0003213292.tif 000004
【図３】
0003213292.tif 000005
(57)【要約】      （修正有）【課題】スピーディにネジ締めを行うことができるとともに、増締めしなくてもしっかりと固定できる一つ穴式二段型ボルトを提供する。【解決手段】二段によるボルトの大径軸部１１，１２に挟まれた小径軸部１３に一つ穴１３ａを設けるとともに、ボルト頭部１４の上面に三角の形の工具を使用するための穴を設ける。【選択図】図１
0003213223.tif 000002
【実用新案登録請求の範囲】
【請求項１】
二段型のボルトの大径軸部に挟まれた小径軸部に一つ穴を設けた、
一つ穴式二段型ボルト。
【請求項２】
請求項１に記載の一つ穴式二段型ボルトにおいて、
前記一つ穴を前記小径軸部の真中に設けた、
一つ穴式二段型ボルト。
【請求項３】
請求項１又は請求項２に記載の一つ穴式二段型ボルトにおいて、
三角形の穴をボルト頭部に設けた、
一つ穴式二段型ボルト。
【考案の詳細な説明】
【技術分野】
【０００１】
この考案は、二段によるボルトの大径軸部に挟まれた小径軸部に一つ穴を設けるとともに、上面に三角の形の工具を使用するための穴を設けたボルトに関するものである。
【背景技術】
【０００２】
従来、ボルトは一つ穴と二段型とが一体のものはなかった。
【考案の概要】
【考案が解決しようとする課題】
【０００３】
従来のボルトには、次のような欠点があった。
従来、ボルトは、何度も使っていると、ネジ山のすり減りが生じて、スピーディにネジ締めを行えず、地面に落としてしまったり、むりに締めて折れ曲がることが多くあった。
本考案は以上のような欠点をなくすためになされたものである。
【課題を解決するための手段】
【０００４】
二段によるボルトの大径軸部（１１，１２）に挟まれた小径軸部（１３）に一つ穴（１３ａ）を設けるとともに、ボルト頭部（１４）の上面に三角の形の工具を使用するための穴（１４ａ）を設ける。
本考案は、以上の構成よりなる一つ穴式二段型ボルトである。
【考案の効果】
【０００５】
ボルトの軸に一つ穴と二段型とが一体になっているので、必要以上の負荷への荷重に耐えて、かなりよくスピーディに、簡単に取り扱えます。そして一つ穴にピンをさしこんでおしこむことでしっかりと固定でき増締めは一切あり得ません。
フリーハンドを使用し、一気にネジを締め、ピンをさしこんでボルトを固定します。長期にわたり使用に耐え、経済的に行えます。
このボルトは非常に優れ、使うのになんらさしつかえない。
【図面の簡単な説明】
【０００６】
【図１】本考案の側面図である。
【図２】本考案の平面図である。
【考案を実施するための形態】
【０００７】
以下、本考案を実施するための形態について説明する。
ボルト１０の小径軸部１３に一つ穴１３ａを設け、ボルト１０の大径軸部１１，１２を二段型に設ける。最初に溝付きネジを回し、一つ穴１３ａにピンをさしこんでおしこみボルト１０を完全に固定する。
本考案は、以上のような構造である。
これを使用するときは、一つ穴１３ａと二段型１１，１２が一体となっているのでネジを回して、一つ穴１３ａにピンをさしこみボルト１０を固定するとよい。
このとき、自然の法則のようにフリーハンドを使用するとよいのである。
【産業上の利用可能性】
【０００８】
産業上の分野はもとより、宇宙開発、海洋開発、造船業界、自動車産業、日曜大工用品のボルトに大変役に立ち、経済の発展に貢献を果たすものであります。
摩擦に耐え、塩害に耐え、機動性、安価、軽量、快適、小型化ができます。ネジを傷めるということが一向にありません。
【符号の説明】
【０００９】
１０  ボルト
１１，１２  大径軸部（二段のボルト）
１３  小径軸部
１３ａ  一つ穴
１４  ボルト頭部
１４ａ  三角穴
【図１】
0003213223.tif 000003
【図２】
0003213223.tif 000004
(57)【要約】      （修正有）【課題】簡単にペーパーの端をつかむことができるようになるトイレットペーパーホルダーを提供する。【解決手段】トイレットペーパーホルダーにペーパーガイド１を取り付け、切り刃２までのペーパーの距離を長くして切り刃２を前に出しペーパーを切断すると、ペーパーの端５の一定範囲が垂れ下がり、ペーパーの端を簡単につかむ事が出来る。【選択図】図１
0003213284.tif 000002
【実用新案登録請求の範囲】
【請求項１】
トイレットペーパーにガイドを取付け、切り刃を前に出すことを特徴とするペーパーホルダー
【請求項２】
ガイドを付ける事で切り刃との距離を作ることを特徴とする請求項１記載のペーパーホルダー
【考案の詳細な説明】
【技術分野】
【０００１】  この考案は、トイレットペーパーホルダーに関する。
【背景技術】
【０００２】  従来のトイレットペーパーホルダーの形状は図２に示す用にすぐ上部に切り刃が有る
【考案の概要】
【考案が解決しようとする課題】  しかしながら、以上の技術によれば、ペーパーを引っ張って出そうとするには、ペーパー本体を手で回転させペーパーの切り端をつかまなければ  引っ張る事が出来ない
そこで、この考案は、切り端を簡単につかめるホルダーを提供することを課題とする
【課題を解決するための手段】
【０００３】  以上の課題を解決するために、第一発明はトイレットペーパーにガイドを取り付ける事で距離を持たせ、切り刃を前に出したことを特徴とするペーパーホルダー
【考案の効果】
【０００４】  第一考案によれば、ペーパーと切り刃の間に距離を設け、切り刃を前に出す事により、簡単にペーパーの端をつかむ事が出来る。
【図面の簡単な説明】
【図１】この考案の一実施形態を示す斜視図と左側面図である。
【図２】従来技術を示す斜視図である。
【図３】本考案を使用後の左側面図
【考案を実施するための形態】
【０００５】  この考案の一実施形態を、図１と図３に示す。
トイレットペーパーａが  ペーパーホルダーの２の切り刃までいく途中に１のペーパー  ガイドを取り付ける。
【０００６】  「実施形態の効果」
この実施形態によれば、ペーパー本体  ａからペーパーホルダーの２の切り刃まで行く途中に１のペーパーガイドを取り付ける事により  １と２  の距離が出来  ２  の切り刃で切断されたペーパーの端が  図３の３の距離が垂れ下がり、ペーパーの端を簡単につかみ使用する事が出来る。
【符号の説明】
【０００７】ａ  トイレットペーパー本体      １  ペーパーガイド    ２  切り刃
３  本考案を使用した時のペーパーのつかめる範囲
４  従来技術を使用した時のペーパーの端の位置
５  ペーパーの端
【図１】
0003213284.tif 000003
【図２】
0003213284.tif 000004
【図３】
0003213284.tif 000005
(57)【要約】      （修正有）【課題】手袋と手の甲が作業中にずり落ちて手首の肌を負傷することを防止できる面ファスナー付手袋、手の甲を提供する。【解決手段】手袋４の裾部分５と手の甲１の袖口２に面ファスナー３、６を設け、手袋と手の甲を簡単に結合可能とする。安心安全に作業にとりかかることができる。【選択図】図１
0003213283.tif 000002
【実用新案登録請求の範囲】
【請求項１】
果樹、花木、又は松等の剪定時に、手袋と手の甲を結合することにおいて手首の肌を危険性から防護するために手袋の裾部分と手の甲の袖部分に面ファスナーを設けたことを特徴とする面ファスナー付手袋及び手の甲。
【考案の詳細な説明】
【技術分野】
【０００１】
本考案は、手袋と手の甲を面ファスナーで結合し、松等の剪定作業において手首を防護゛するものである。
【背景技術】
【０００２】
従来より、面ファスナー付手袋はある。手袋と手の甲を一同に使用する物品は見あたらない。（特許文献１参照）
【先行技術文献】
【特許文献】
【０００３】
【特許文献１】実用新案登録第3096870号公報
【考案の概要】
【考案が解決しようとする課題】
【０００４】
従来は手袋と手の甲を別々に使用し、手袋と手の甲の空間の手首の肌に負傷の恐れがある。
【課題を解決するための手段】
【０００５】
手袋の裾部分と手の甲の袖口に面ファスナーを設ける。
【考案の効果】
【０００６】
手袋と手の甲面ファスナーで結合することにおいて、手首の肌を危険性から防護することにおいて、作業の能率も向上する。
【図面の簡単な説明】
【０００７】
【図１】本考案の斜視図
【図２】本考案の使用拡大平面図
【考案を実施するための形態】
【０００８】
以下、本考案の形態について説明する。
手の甲(1)の袖口(2)とし、袖口面ファスナー(3)を設け、手袋(4)の裾部分(5)とし、裾部分面ファスナー(6)を設ける。
本考案を使用するときは、手袋(4)の裾部分面ファスナー(6)と手の甲(1)の袖口面ファスナー(3)と、結合し、使用する。
【符号の説明】
【０００９】
1 手の甲
2 袖口
3 袖口面ファスナー
4 手袋
5裾部分
6 裾部分面ファスナー
【図１】
0003213283.tif 000003
【図２】
0003213283.tif 000004
【手続補正書】
【提出日】平成29年8月28日(2017.8.28)
【手続補正１】
【補正対象書類名】実用新案登録請求の範囲
【補正対象項目名】全文
【補正方法】変更
【補正の内容】
【実用新案登録請求の範囲】
【請求項１】
果樹、花木、又は松等の剪定時に手首の肌を危険性から防護するための防護具
であって、
手袋と、手首の肌を防護する防護部材と、からなり、
前記手袋の裾部分に設けられた面ファスナーと、前記防護部材の袖部分に設け
られた面ファスナーとを結合させて使用することを特徴とする防護具。
(57)【要約】      （修正有）【課題】工具のスプリング類に代えて、２本のハンドルの内側へ永久磁石を持たせた工具を提供する。【解決手段】ペンチに代表される２本の先端で、物を挟んだり、物を切ったりする挟着工具において、連結具１で組み合わされた２本の先端３が開いた状態或いは閉じた状態を保持させたままにするために、２本のハンドル２（持ち手）の各々の内側へ１個ずつの永久磁石４（吸い付き磁石）をお互いに作用するような位置へ取り付けた。【選択図】図１
0003213287.tif 000002
【実用新案登録請求の範囲】
【請求項１】
ペンチに代表される先端で物を挟むなどの構造の工具において、先端の開閉に連動する２本のハンドルの各々の内側へ１個づつの永久磁石を引き付けあうように取り付けて、ハンドルが引き付けられる工具で、先端を閉じたたまま保持できる工具。
【請求項２】
ペンチに代表される先端で物を挟むなどの構造の工具において、先端の開閉に連動する２本のハンドルの各々の内側へ１個づつの永久磁石を弾け合うように取り付けて、ハンドルが弾かれる工具で、先端を開いたまま保持できる工具。
【考案の詳細な説明】
【技術分野】
【０００１】この考案はペンチに代表される２本の先端を持っていて、物を挟んだり、物を切ったりする挟着工具に関するものである。
【背景技術】
【０００２】２本の金属の先端で物を挟むペンチなどにおいては、先端を開閉させる２本のハンドルの間にコイルスプリングや針金バネを持たせた工具がこれまでの主流であった。【０００３】しかしながら、これらのスプリング類が工具から外れたり、壊れたりして、本来の目的が得られない事が多かった。
【先行技術文献】
【特許文献】
【０００４】
【特許文献１】実開昭５１−７５９６３
【０００５】
【特許文献２】実開昭６１−１３０１５９
【０００６】
【非特許文献】
【非特許文献】株式会社スリーピークス技研  （新潟県三条市塚野目２１７１）  ホームページ掲載  （ｈｔｔｐ：／／ｗｗｗ．３ｐｅａｋｓ．ｃｏ．ｊｐ／ｃｏｍｐａｎｙ／ｉｎｄｅｘ．ｈｔｍｌ）
【考案の概要】
【考案が解決しようとする課題】
【０００７】これらの課題を無くしたく、スプリング類を用いること無く、ハンドルを作動させる事によって、ハンドルに取り付けた永久磁石の作用で先端の開閉の状態を保持させる方法を考案する事とした。
【課題を解決するための手段】
【０００８】連結具１で組み合わされた２本の先端３を持つペンチなどのような物を挟むことを目的とする挟着工具において、２本の先端３が閉じた状態を持たせたままにするために、２本のハンドル２の各々の内側へ永久磁石を取り付けた工具を考案した。【０００９】２本のハンドル２を閉鎖側に作動させることにより、ハンドルの内側へ取り付けた永久磁石４の相対する２極が引き付けあって、連結具１で結ばれた２本の先端３が閉鎖側へ作動する事となり、金具の先端３の閉鎖を生じさせることとなるものである。【００１０】この例によれば、２本のハンドルが取り付けた永久磁石の磁力により引き合うこととなり、連結具で連動している先端の金具の隙間が無くなることとなり、２本の金属の先端で物を挟むことが容易となる。【００１１】また、永久磁石の取り付けの向きを反転することにより、２本のハンドルが反発しあうこととなり、金具の先端は開放側へ作動することとなる。
【考案の効果】
【００１２】これらの工具において、スプリング類に代わる永久磁石を用いれば、工具から外れる事も無く、壊れたりすることは無くなるのである。
【図面の簡単な説明】
【００１３】図面はペンチに代表されるような物を挟むことの出来る工具である。
図面１はハンドルを狭めて、磁力でハンドルを引き付けあい、連結具を介して、挟む為の先端を狭めたものである。
図面２はハンドルを広げて、磁力でハンドルを弾きあい、連結具を介して、挟む為の先端を広げたものである。
【考案を実施するための形態】
【実施例】
【００１４】先端で物を挟む工具に代表されるペンチにおいて、連結具を介して先端の開閉に連動する２本のハンドルの各々の内側へ永久磁石を１個ずつ取り付けることとする。
【符号の説明】
【００１５】符号１は２本の金属を結びつける連結具。【００１６】符号２は工具を持つと共に作用を起こさせるハンドル。【００１７】符号３はハンドルによって作用され、物を挟んだり、切ったりする工具の先端。【００１８】符号４はハンドルの内側へ取り付けた永久磁石。
【図１】
0003213287.tif 000003
【図２】
0003213287.tif 000004
(57)【要約】      （修正有）【課題】授乳の労力が軽減され、被哺乳者に安心感をあたえることを目的とした、哺乳瓶ホルダー付きぬいぐるみを提供する。【解決手段】バンド２に、バンド２を取り付けていない方の腕４を通す。両腕３、４で挟持させるように、哺乳瓶７を装着する。被哺乳者が飲みやすい角度にぬいぐるみの足５を変形させ配置して、哺乳させる。これにより世話人がいなくても哺乳瓶は保持され、安全に授乳できる。また、ぬいぐるみ本体１は、玩具として用いることもできる。【選択図】図３
0003213282.tif 000002
【実用新案登録請求の範囲】
【請求項１】
哺乳瓶ホルダー機能を備えたぬいぐるみ。
【請求項２】
ホルダー機能がゴムバンドであることを特徴とする請求項１に記載するぬいぐるみ。
【請求項３】
哺乳時の配置の安定化のため、中にワイヤーをいれたぬいぐるみ。
【考案の詳細な説明】
【技術分野】
【０００１】
本考案は、自力で哺乳瓶から乳を飲むことができるように、哺乳瓶ホルダーを設けたぬいぐるみに関するものである。
【背景技術】
【０００２】
世話人なしに、例えば乳児などの被哺乳者に哺乳瓶の乳を飲ませる場合、困難を伴う。また、それを解決するため哺乳瓶ホルダーがついたスタンドや、哺乳瓶ホルダー付きの弾力性のある置物が公知となっている。
【先行技術文献】
【特許文献】
【０００３】
【特許文献１】特開2011-172656
【特許文献２】特開平07-289611
【考案の概要】
【考案が解決しようとする課題】
【０００４】
哺乳瓶ホルダーつきスタンドや弾力性の置物などを使うことは、被哺乳者にとっては無機的である。かつ世話人にとって、本体の固定や、乳児の顔の角度と哺乳瓶の角度の調整は、時間的、労働的負担である。
【課題を解決するための手段】
【０００５】
そこで本考案は、以上の課題を解決すべく、ぬいぐるみに哺乳瓶を狭持させることで、授乳中の被哺乳者に安心感をあたえ、世話人の授乳時の負担を軽減させることを目的とした。
【０００６】
本考案は、ぬいぐるみの片手にバンドを設け、もう片方の手をそのバンドに挿入し、そこに哺乳瓶を挿着して、ぬいぐるみの両手で哺乳瓶を挟持させることで、本体からの哺乳瓶の簡単な挿脱を可能にした。
【０００７】
ぬいぐるみ本体にワイヤー状部材を入れることによって、人手によって曲げ、変形可能にし、被哺乳者の位置や角度に合わせ、本体を配置できるようにした。
【０００８】
これは、ぬいぐるみとしても十分に機能をはたすものである。これらによって上記の課題を解決した。
【考案の効果】
【０００９】
本考案によれば、被哺乳者に安心感を与えつつ、世話人なしに、簡単に哺乳瓶から乳を飲ませることが可能である。
【図面の簡単な説明】
【００１０】
【図１】本考案の正面図である。
【図２】本考案の断面図である。
【図３】本考案の斜視実施図である。
【考案を実施するための形態】
【００１１】
以下に、本考案に係る実施例を図１乃至図３に基づいて説明する。図１は哺乳瓶ホルダー付きぬいぐるみの一例を示す。１は動物や人を模った本体ぬいぐるみ。２は例えばゴム製のバンド、バンドは例えばマジックテープなどで装脱可能なものでも、本体に縫着したものでもよい。３はバントを設けた腕。４はバンドを取り付けていない方の腕。５は本体の足である。図２の６は、ワイヤーのような芯である。図３の７は、哺乳瓶である。
【００１２】
まず２のバンドに４の腕を通す。両腕で挟持させるように、７の哺乳瓶を装着する。被哺乳者が飲みやすい角度にぬいぐるみの足５を変形させ配置して、哺乳させる。ぬいぐるみ本体１を玩具として用いるとこはもちろんであるが、これにより世話人がいなくても哺乳瓶は保持され、安全に授乳できる。
【符号の説明】
【００１３】
１  ぬいぐるみ本体
２  バンド
３  バンドを設けた腕
４  ３と反対側の腕
５  足
６  芯
７  哺乳瓶
【図１】
0003213282.tif 000003
【図２】
0003213282.tif 000004
【図３】
0003213282.tif 000005
【手続補正書】
【提出日】平成29年9月7日(2017.9.7)
【手続補正１】
【補正対象書類名】実用新案登録請求の範囲
【補正対象項目名】全文
【補正方法】変更
【補正の内容】
【実用新案登録請求の範囲】
【請求項１】
ぬいぐるみの片手に哺乳瓶を装着するバンドを設けたぬいぐるみ。
【請求項２】
もう片方の手を前期バンドに挿入し、両手で哺乳瓶を矜持させることを特徴とする請求項１に記載のぬいぐるみ。
【請求項３】
哺乳時の配置の安定化のため、中にワイヤーをいれたことを特徴とする請求項１または２に記載のぬいぐるみ。